(57)【要約】【課題】水熱交換器を用いた室内ユニットにおいて、適切に室温の制御を行うことのできる空気調和装置を提供する。【解決手段】冷媒を圧縮する圧縮機２０と室外熱交換器２２とを備えた室外ユニット２と、前記冷媒と水とを熱交換させる水熱交換器５０と水熱交換器５０に水を供給するポンプ５５とを備えた水熱交換用室内ユニット８と、を備え、水熱交換用室内ユニット８は、所定の操作を行う水熱交換用リモコン５７と、室温を検出する室温センサ５８とを備え、水熱交換用リモコン５７による室温設定値と室温センサ５８の検出値とに基づいて、ポンプ５５の駆動制御を行う水熱交換用制御部７４を備えている。【選択図】図１
2017067319.tif 000002
【特許請求の範囲】
【請求項１】
冷媒を圧縮する圧縮機と室外熱交換器とを備えた室外ユニットと、前記冷媒と水とを熱交換させる水熱交換器と前記水熱交換器に水を供給するポンプとを備えた水熱交換用室内ユニットと、を備え、
前記水熱交換用室内ユニットは、所定の操作を行うリモコンと、室温を検出する室温センサとを備え、
前記リモコンによる室温設定値と前記室温センサの検出値とに基づいて、前記ポンプの駆動制御を行う水熱交換用制御部を備えていることを特徴とする空気調和装置。
【請求項２】
前記水熱交換用室内ユニットは、前記水熱交換器の出湯温度を検出する出湯温度センサを備え、
前記水熱交換用制御部は、前記室温センサによる検出値と、前記出湯温度センサによる検出値とに基づいて、前記ポンプの駆動制御を行うことを特徴とする請求項１に記載の空気調和装置。
【請求項３】
前記水熱交換用制御部は、暖房運転時においては、室温設定温度に対して前記室温センサの検出値が低い場合および出湯設定温度に対して前記出湯温度センサの検出値が低い場合の両方の条件を満たした時に動作をＯＮに制御し、冷房運転時においては、室温設定温度に対して前記室温センサの検出値が高い場合および出湯設定温度に対して前記出湯温度センサの検出値が高い場合の両方の条件を満たした時に動作をＯＮに制御することを特徴とする請求項２に記載の空気調和装置。
【請求項４】
前記出湯設定温度は、暖房時においては室温設定温度＋５℃、冷房時においては室温設定温度−５℃となるようにあらかじめ設定されていることを特徴とする請求項３に記載の空気調和装置。
【請求項５】
前記室温センサは、前記リモコンに内蔵されていることを特徴とする請求項１から請求項４のいずれか一項に記載の空気調和装置。
【発明の詳細な説明】
【技術分野】
【０００１】
本発明は、空気調和装置に係り、特に、水熱交換器を用いた室内ユニットを備えた空気調和装置に関するものである。
【背景技術】
【０００２】
一般に、冷房、暖房を行う空気調和装置においては、圧縮機や室外熱交換器などを備えた室外ユニットと、室内熱交換器を備えた室内ユニットとを有している。
このような空気調和装置において、従来から、室内ユニットに冷媒と水とを熱交換させる水熱交換器を設け、この水熱交換器により熱交換された水を熱源として、空調を行ったり、あるいは給湯を行う技術が知られている。
このような技術としては、例えば、室内ユニットに水熱交換器を設置し、水熱交換器により熱交換された水を浴槽で利用するようにした空気調和装置がある（例えば、特許文献１参照）。
【先行技術文献】
【特許文献】
【０００３】
【特許文献１】特開平０２−２７９９６２号公報
【発明の概要】
【発明が解決しようとする課題】
【０００４】
しかしながら、従来の技術においては、水熱交換器における温度制御は、水熱交換器の出湯温度に基づいて行われるものであり、水熱交換器による水を空調に用いる場合に、水熱交換器の出湯温度に基づいて制御を行うと、実際の室温に対して適切に制御することが困難であるという問題を有している。
本発明は前記した点に鑑みてなされたものであり、水熱交換器を用いた室内ユニットにおいて、適切に室温の制御を行うことのできる空気調和装置を提供することを目的とするものである。
【課題を解決するための手段】
【０００５】
前記目的を達成するため、本発明は、冷媒を圧縮する圧縮機と室外熱交換器とを備えた室外ユニットと、前記冷媒と水とを熱交換させる水熱交換器と前記水熱交換器に水を供給するポンプとを備えた水熱交換用室内ユニットと、を備え、前記水熱交換用室内ユニットは、所定の操作を行うリモコンと、室温を検出する室温センサとを備え、前記リモコンによる室温設定値と前記室温センサの検出値とに基づいて、前記ポンプの駆動制御を行う水熱交換用制御部を備えていることを特徴とする。
【０００６】
また、前記構成において、前記水熱交換用室内ユニットは、前記水熱交換器の出湯温度を検出する出湯温度センサを備え、前記水熱交換用制御部は、前記室温センサによる検出値と、前記出湯温度センサによる検出値とに基づいて、前記ポンプの駆動制御を行うことを特徴とする。
【０００７】
また、前記構成において、前記水熱交換用制御部は、暖房運転時においては、室温設定温度に対して前記室温センサの検出値が低い場合および出湯設定温度に対して前記出湯温度センサの検出値が低い場合の両方の条件を満たした時に動作をＯＮに制御し、冷房運転時においては、室温設定温度に対して前記室温センサの検出値が高い場合および出湯設定温度に対して出湯温度センサの検出値が高い場合の両方の条件を満たした時に動作をＯＮに制御することを特徴とする。
【０００８】
また、前記構成において、前記出湯設定温度は、暖房時においては室温設定温度＋５℃、冷房時においては室温設定温度−５℃となるようにあらかじめ設定されていることを特徴とする。
【０００９】
また、前記構成において、前記室温センサは、前記リモコンに内蔵されていることを特徴とする。
【発明の効果】
【００１０】
本発明によれば、水熱交換用制御部により、室温センサの検出値に基づいてポンプの駆動制御を行うので、従来のように、出湯温度による室温制御に比べて、適正な室温の制御を行うことができる。
【図面の簡単な説明】
【００１１】
【図１】本発明に係る空気調和装置の実施形態を示す冷凍サイクル構成図である。
【図２】本実施形態の空気調和装置の制御構成を示すブロック図である。
【図３】本実施形態の空気調和装置における図３（ａ）は暖房時におけるポンプ制御例、図３（ｂ）は冷房時におけるポンプの制御例を示す説明図である。
【図４】本実施形態の空気調和装置の動作を示すフローチャートである。
【発明を実施するための形態】
【００１２】
以下、本発明の実施形態について、図面を参照して説明する。
図１は、本発明の実施形態に係る空気調和装置のサイクル構成図である。
図１に示す空気調和装置は、室外ユニット２と、室内ユニット４とを備えている。また、室内ユニット４は、空調用室内ユニット６と、水熱交換用室内ユニット８とを備えている。
本実施形態においては、１台の室外ユニット２に対して、２台の空調用室内ユニット６と１台の水熱交換用室内ユニット８がそれぞれ接続された構成となっている。
【００１３】
室外ユニット２と、空調用室内ユニット６と、水熱交換用室内ユニット８とは、高温高圧のガス化した冷媒が流れる高圧ガス管１０と、低圧の冷媒が流れる低圧ガス管１１と、高圧の液化した冷媒が流れる液管１２とで接続されている。
【００１４】
室外ユニット２は、冷媒を圧縮する圧縮機２０を備えている。圧縮機２０の吸入側には、圧縮機２０にガス冷媒を供給する気液分離器２１が接続されており、圧縮機２０の吐出側は、高圧ガス配管に接続されている。
また、室外ユニット２は、室外熱交換器２２を備えており、室外熱交換器２２の近傍には、室外熱交換器２２に室外ユニット２の周囲の空気を供給する室外送風ファン２３が設けられている。そして、室外熱交換器２２は、室外送風ファン２３により送られる空気と冷媒とが熱交換するよう構成されており、一般的には、フィン・チューブ型やマイクロチューブ型の熱交換器が用いられる。
【００１５】
室外熱交換器２２の一側には、液管１２が接続されており、この液管１２の中途部には、室外熱交換器２２に供給される冷媒の流量を調整する室外冷媒流量調整弁２４が設けられている。
また、室外熱交換器２２の他側には、高圧ガス管１０および低圧ガス管１１がそれぞれ接続されている。高圧ガス管１０の中途部には、高圧ガス管１０における冷媒の流量を制御する室外高圧ガス管開閉弁２５が設けられており、低圧ガス管１１の中途部には、低圧ガス管１１における冷媒の流量を制御する室外低圧ガス管開閉弁２６が設けられている。
【００１６】
また、室外ユニット２は、室外制御装置２７を備えている。室外ユニット２の圧縮機２０の冷媒流入側には、圧縮機２０に流入する冷媒圧力を検出する低圧センサ２８が設けられており、圧縮機２０の冷媒吐出側には、圧縮機２０から吐出される冷媒圧力を検出する高圧センサ２９が設けられている。さらに、室外ユニット２には、外気温を検出する外気温センサ３０が設けられている。
【００１７】
空調用室内ユニット６は、室内熱交換器４０を備えており、室内熱交換器４０の近傍には、室内熱交換器４０に空調用室内ユニット６の周囲の空気を供給する室内送風ファン４１が設けられている。室内熱交換器４０は、室内送風ファン４１で送られる空気と、冷媒とが熱交換するよう構成されており、一般的には、フィン・チューブ型やマイクロチューブ型の熱交換器が用いられる。
【００１８】
また、室内熱交換器４０の一側には、液管１２が接続されており、この液管１２の中途部には、室内熱交換器４０に供給される冷媒の流量を調整する室内冷媒流量調整弁４２が設けられている。
また、室内熱交換器４０の他側には、高圧ガス管１０および低圧ガス管１１がそれぞれ接続されている。高圧ガス管１０の中途部には、高圧ガス管１０における冷媒の流量を制御する室内高圧ガス管開閉弁４３が設けられており、低圧ガス管１１の中途部には、低圧ガス管１１における冷媒の流量を制御する室内低圧ガス管開閉弁４４が設けられている。
【００１９】
また、空調用室内ユニット６の室内には、運転のＯＮ・ＯＦＦや室内の温度設定などを操作するための室内空調用リモコン４５が設置されている。室内空調用リモコン４５には、室内の温度を検出する室温センサ４６が設けられている。
【００２０】
水熱交換用室内ユニット８は、水熱交換器５０を備えている。水熱交換器５０は、冷媒と水とが熱交換するよう構成されており、一般的には、プレート式熱交換器が用いられる。
また、水熱交換器５０の一側には、液管１２が接続されており、この液管１２の中途部には、水熱交換器５０に供給される冷媒の流量を調整する水熱用冷媒流量調整弁５１が設けられている。
また、水熱交換器５０の他側には、高圧ガス管１０および低圧ガス管１１がそれぞれ接続されている。高圧ガス管１０の中途部には、高圧ガス管１０における冷媒の流量を制御する水熱用高圧ガス管開閉弁５２が設けられており、低圧ガス管１１の中途部には、低圧ガス管１１における冷媒の流量を制御する水熱用低圧ガス管開閉弁５３が設けられている。
【００２１】
水熱交換用室内ユニット８の水熱交換器５０には、水配管５４が接続されており、水配管５４の中途部には、水熱交換器５０に水を循環するためのポンプ５５が設けられている。
水配管５４には、空調システムまたは給湯システムのいずれかが接続されるように構成されており、空調システムが接続された場合は空調モード、給湯システムが接続された場合はタンクモードとして取り扱われる。
本実施形態においては、水配管５４に空調システム６１が接続された場合について説明する。
空調システム６１は、輻射パネル５６を備えており、輻射パネル５６には、水配管５４が接続されている。輻射パネル５６に水熱交換器５０において冷媒と熱交換した水を水配管５４を介して供給することにより、輻射パネル５６による冷房または暖房を行うように構成されている。
【００２２】
また、本実施形態においては、水熱交換用室内ユニット８の室内には、運転のＯＮ・ＯＦＦや室内の温度設定などを操作するための水熱交換用リモコン５７が設置されている。
水熱交換用リモコン５７には、室内の温度を検出する室温センサ５８が設けられており、水熱交換用室内ユニット８には、水熱交換器５０の入口側の水温を検出する入湯温度センサ５９および水熱交換器５０の出口側の水温を検出する出湯温度センサ６０がそれぞれ設けられている。
【００２３】
次に、本実施形態における空気調和装置の制御構成について説明する。
図２は本発明に係る空気調和装置の制御構成を示すブロック図である。
図２に示すように、室外制御装置２７は、所定の制御や演算処理などを総括して行う室外用制御部７０を備えている。室外用制御部７０は、外気温センサ３０、低圧センサ２８および高圧センサ２９の検出値に基づいて、圧縮機２０および室外送風ファン２３の駆動制御を行うように構成されている。
【００２４】
空調用室内ユニット６は、所定の制御や演算処理などを総括して行う室内空調用制御部７１を備えている。
また、室内空調用リモコン４５は、所定の制御や演算処理などを総括して行う室内空調用リモコン制御部７７を備えている。
また、室内空調用リモコン４５は、利用者が空調用室内ユニット６の運転のＯＮ・ＯＦＦ、室温設定、冷暖房の切換えなどの操作を行う操作部７２を備えている。室内空調用リモコン４５は、設定温度や空調用室内ユニット６の運転状況などを表示する表示部７３を備えている。室内空調用リモコン制御部７７は、室内空調用制御部７１に室温センサ４６の検出値、操作部７２による操作信号を送るとともに、室内空調用制御部７１から送られる表示信号に応じて表示部７３の表示制御を行うように構成されている。
【００２５】
室内空調用制御部７１は、操作部７２により設定された室温となるように、室温センサ４６の検出値に応じて室内冷媒流量調整弁４２の開度制御および室内送風ファン４１の駆動制御を行うように構成されている。また、室内空調用制御部７１は、操作部７２による冷暖房の切換え操作に応じて、室内高圧ガス管開閉弁４３および室内低圧ガス管開閉弁４４の開閉制御を行うように構成されている。
なお、室内空調用制御部７１は、室外制御装置２７と通信可能に構成されている。
【００２６】
また、水熱交換用室内ユニット８は、所定の制御や演算処理などを総括して行う水熱交換用制御部７４を備えている。
また、水熱交換用リモコンは、所定の制御や演算処理などを総括して行う水熱交換用リモコン制御部７８を備えている。
水熱交換用リモコン５７は、利用者が水熱交換用室内ユニット８の運転のＯＮ・ＯＦＦ、室温設定、冷暖房の切換えなどの操作を行う操作部７５を備えている。水熱交換用リモコンは、室温設定温度や空調用室内ユニット６の運転状況などを表示する表示部７６を備えている。
水熱交換用リモコン制御部７８は、水熱交換用制御部７４に室温センサ５８の検出値、操作部７５による操作信号を送るとともに、水熱交換用制御部７４から送られる表示信号に応じて表示部の表示制御を行うように構成されている。また、水熱交換用制御部７４は、入湯温度センサ５９および出湯温度センサ６０の検出値がそれぞれ入力されるように構成されている。
【００２７】
水熱交換用制御部７４は、操作部７５により設定された室温となるように、室温センサ５８の検出値に応じてポンプ５５の駆動制御を行うように構成されている。また、水熱交換用制御部７４は、操作部７５による冷暖房の切換え操作に応じて、水熱交換用高圧ガス管開閉弁および水熱交換用低圧ガス管開閉弁の開閉制御を行うように構成されている。
なお、水熱交換用制御部７４は、室外制御装置２７と通信可能に構成されている。
【００２８】
また、水熱交換用リモコン５７は、本実施形態においては、システムの初期設定時に、空調モードまたはタンクモードのいずれかを選択して設定することができる機能を有している。水熱交換用リモコン５７は、初期設定で選択されたモードに基づいて所定の制御を行うものである。
【００２９】
空調モードにおいては、水熱交換用室内ユニット８の水熱交換用制御部７４は、水熱交換用リモコン５７の水熱交換用リモコン制御部７８から送られる室温センサ５８の検出値に基づいて制御を行う。
この室温センサ５８の検出値に基づいて制御を行う際に、本実施形態においては、出湯温度センサ６０の検出値を併用して制御を行う。
図３は室温設定温度に対する室内温度と出湯設定温度に対する出湯温度との関係における制御例を示す図である。図３（ａ）は暖房時における制御例、図３（ｂ）は冷房時における制御例を示している。
【００３０】
図３に示すように、室温設定温度に対して室温センサ５８の検出値が高い場合または低い場合、出湯設定温度に対して出湯温度センサ６０による出湯温度の検出値が高い場合または低い場合にそれぞれ分ける。そして、暖房運転時においては、水熱交換用制御部７４は、室温設定温度に対して室温センサ５８の検出値が低い場合および出湯設定温度に対して出湯温度の検出値が低い場合の両方の条件を満たした時に、動作をＯＮに制御する。ここで、動作のＯＮとは、原則としてポンプ５５の動作をＯＮにすることを意味する。
一方、水熱交換用制御部７４は、室温設定温度に対して室温センサ５８の検出値が高い場合または出湯設定温度に対して出湯温度の検出値が高い場合のいずれかの条件を満たす時に、動作のＯＦＦ、すなわち、ポンプ５５を停止させるように制御する。
【００３１】
また、冷房運転時においては、水熱交換用制御部７４は、室温設定温度に対して室温センサ５８の検出値が高い場合および出湯設定温度に対して出湯温度の検出値が高い場合に、動作をＯＮに制御する。
ここで、出湯設定温度は、本実施形態においては、暖房時においては、室温設定温度＋５℃、冷房時においては、室温設定温度−５℃となるようにあらかじめ設定されている。なお、この室温設定温度に対する出湯設定温度は、±５℃に限定されるものではなく、必要に応じて任意に設定することができるものである。
【００３２】
この場合において、水熱交換用制御部７４は、室温設定温度に対する室温センサ５８の検出値および出湯設定温度に対する出湯温度の検出値に応じてポンプ５５の動作制御を行うようにしているが、必要に応じて、水熱用冷媒流量調整弁５１の開度制御を行うようにしてもよい。このように水熱用冷媒流量調整弁５１の開度制御を行うことにより、水熱交換器５０における冷媒の温度を制御することができるためである。
さらに、必要に応じて、水熱交換用制御部７４から室外制御装置２７に指示を送り、室外制御装置２７により、圧縮機２０などを駆動制御することで、冷媒の温度を制御するようにしてもよい。
【００３３】
次に、本実施形態の空気調和装置の動作について、図１の冷凍サイクル図を参照しながら説明する。
【００３４】
冷房運転時は、室外ユニット２において、室外高圧ガス管開閉弁２５を開、室外低圧ガス管開閉弁２６を閉に設定し、空調用室内ユニット６において、室内高圧ガス管開閉弁４３を閉、室内低圧ガス管開閉弁４４を開に設定し、水熱交換用室内ユニット８において、水熱用高圧ガス管開閉弁５２を閉、水熱用低圧ガス管開閉弁５３を開に設定する。
【００３５】
この状態で、圧縮機２０を駆動すると、圧縮機２０で圧縮された高温高圧の冷媒は、室外高圧ガス管開閉弁２５を経由して室外熱交換器２２に入り、室外ユニット２周囲の空気により冷却され液状態になる。液状態の冷媒は、全開状態の室外冷媒流量調整弁２４を経由して液管１２に流入し、空調用室内ユニット６および水熱交換用室内ユニット８に到達する。
【００３６】
空調用室内ユニット６に到達した冷媒は、室内冷媒流量調整弁４２で減圧されて低温低圧の気液二相状態になった後、室内熱交換器４０に流入して、室内空気から熱を奪って冷房を行う。この過程で冷媒は蒸発し、室内低圧ガス管開閉弁４４を経由して低圧ガス管１１に入り、室外ユニット２に戻る。室外ユニット２に戻った冷媒は気液分離器２１を経由して、圧縮機２０に戻る。
【００３７】
水熱交換用室内ユニット８に到達した冷媒は、水熱用冷媒流量調整弁５１で減圧されて低温低圧の気液二相状態になった後、水熱交換器５０に流入して水との熱交換を行い、水の冷却を行う。この過程で冷媒は蒸発し、水熱用低圧ガス管開閉弁５３を経由して低圧ガス管１１に入り、室外ユニット２に戻る。室外ユニット２に戻った冷媒は気液分離器２１を経由して、圧縮機２０に戻る。
【００３８】
また、暖房運転時は、室外ユニット２において、室外高圧ガス管開閉弁２５を閉、室外低圧ガス管開閉弁２６を開に設定し、空調用室内ユニット６において、室内高圧ガス管開閉弁４３を開、室内低圧ガス管開閉弁４４を閉に設定し、水熱交換用室内ユニット８において、水熱用高圧ガス管開閉弁５２を開、水熱用低圧ガス管開閉弁５３を閉に設定する。
【００３９】
圧縮機２０で圧縮された高温高圧の冷媒は高圧ガス管１０に流入し、空調用室内ユニット６に到達する。空調用室内ユニット６に到達した冷媒は、室内高圧ガス管開閉弁４３を経由して、室内熱交換器４０に流入して、室内空気に放熱し暖房を行う。この過程で冷媒は凝縮して液化し、全開状態の室内冷媒流量調整弁４２を経由して液管１２に流入し、室外ユニット２に戻る。
【００４０】
また、圧縮機２０で圧縮された高温高圧の冷媒は高圧ガス管１０に流入し、水熱交換用室内ユニット８に到達する。水熱交換用室内ユニット８に到達した冷媒は、水熱用高圧ガス管開閉弁５２を経由して、水熱交換器５０に流入して水との熱交換を行い、水の加熱を行う。この過程で冷媒は凝縮して液化し、全開状態の水熱用冷媒流量調整弁５１を経由して液管１２に流入し、室外ユニット２に戻る。
【００４１】
室外ユニット２に戻った冷媒は、室外冷媒流量調整弁２４で減圧されて低温低圧の気液二相状態になった後、室外熱交換器２２に入り、室外ユニット２周囲の空気により加熱されて蒸発する。蒸発し気化した冷媒は、室外低圧ガス管開閉弁２６、気液分離器２１を経由して圧縮機２０に戻る。
【００４２】
次に、水熱交換用室内ユニット８における動作について、図４に示すフローチャートを参照して説明する。
【００４３】
まず、水熱交換用室内ユニット８の水熱交換用リモコン５７の操作部７５を操作して所望の室温を設定する（ステップＳ１）。
この設定された室温設定温度は、水熱交換用制御部７４に送られ、水熱交換用制御部７４は、室温設定温度に５℃加算した出湯設定温度を設定する（ステップＳ２）。
この状態で、水熱交換用制御部７４は、室温センサ５８の検出値および出湯温度センサ６０の検出値をそれぞれ取得する（ステップＳ３）。
そして、水熱交換用制御部７４は、室温センサ５８の検出値と室温設定温度とを比較し（ステップＳ４）、室温センサ５８の検出値が室温設定温度より低い場合（ステップＳ４：ＹＥＳ）、出湯温度センサ６０の検出値と出湯設定温度とを比較し（ステップＳ５）、出湯温度センサ６０の検出値が出湯設定温度より低い場合には（ステップＳ５：ＹＥＳ）、ポンプ５５の駆動をＯＮに制御する（ステップＳ６）。
一方、室温センサ５８の検出値が室温設定温度より高い場合（ステップＳ４：ＮＯ）または出湯温度センサ６０の検出値が出湯設定温度より高い場合には（ステップＳ５：ＮＯ）、ポンプ５５の駆動をＯＦＦに制御する（ステップＳ７）。
【００４４】
以上述べたように、本実施形態においては、水熱交換用室内ユニット８は、所定の操作を行う水熱交換用リモコン５７と、室温を検出する室温センサ５８とを備え、水熱交換用リモコン５７は、室温センサ５８の検出値に基づいて、ポンプ５５の駆動制御を行う水熱交換用制御部７４を備えている。
これによれば、水熱交換用制御部７４により、室温センサ５８の検出値に基づいてポンプ５５の駆動制御を行うので、従来のように、出湯温度による室温制御に比べて、適正な室温の制御を行うことができる。
【００４５】
また、本実施形態においては、水熱交換用室内ユニット８は、水熱交換器５０の出湯温度を検出する出湯温度センサ６０を備え、水熱交換用制御部７４は、室温センサ５８による検出値と、出湯温度センサ６０による検出値とに基づいて、ポンプ５５の駆動制御を行う。
これによれば、室温センサ５８による検出値と、出湯温度センサ６０による検出値とに基づいて適正に室温の制御を行うことができる。
【００４６】
また、本実施形態においては、水熱交換用制御部７４は、暖房運転時においては、室温設定温度に対して室温センサ５８の検出値が低い場合および出湯設定温度に対して出湯温度センサ６０の検出値が低い場合の両方の条件を満たした時に動作をＯＮに制御し、冷房運転時においては、室温設定温度に対して室温センサ５８の検出値が高い場合および出湯設定温度に対して出湯温度センサ６０の検出値が高い場合の両方の条件を満たした時に動作をＯＮに制御する。
これによれば、室温センサ５８による検出値と、出湯温度センサ６０による検出値とに基づいて適正に室温の制御を行うことができる。
【００４７】
また、本実施形態においては、出湯設定温度は、暖房時においては室温設定温度＋５℃、冷房時においては室温設定温度−５℃となるようにあらかじめ設定されている。
これによれば、出湯設定温度を室温設定温度に基づいて設定することができ、室内温度を設定するだけで、室温設定温度および出湯設定温度に基づいて室温の制御を行うことができる。
【００４８】
また、本実施形態においては、室温センサ５８は、水熱交換用リモコン５７に内蔵されている。
これによれば、水熱交換用リモコン５７を設置するだけで、室温センサ５８による室内温度の検出を行うことができる。
【００４９】
なお、前記実施形態においては、室温センサ５８を水熱交換用リモコン５７に内蔵するようにしているが、これに限定されるものではなく、例えば、室温センサ５８を水熱交換用リモコン５７と別体に設置するようにしてもよい。
また、本発明は、前記実施形態に限定されるものではなく、発明の趣旨を逸脱しない範囲で種々変更が可能である。
【符号の説明】
【００５０】
２  室外ユニット
４  室内ユニット
６  空調用室内ユニット
８  水熱交換用室内ユニット
１０  高圧ガス管
１１  低圧ガス管
１２  液管
２０  圧縮機
２２  室外熱交換器
２３  室外送風ファン
２４  室外冷媒流量調整弁
２５  室外高圧ガス管開閉弁
２６  室外低圧ガス管開閉弁
２７  室外制御装置
２８  低圧センサ
２９  高圧センサ
３０  外気温センサ
４０  室内熱交換器
４１  室内送風ファン
４２  室内冷媒流量調整弁
４３  室内高圧ガス管開閉弁
４４  室内低圧ガス管開閉弁
４５  室内空調用リモコン
４６  室温センサ
５０  水熱交換器
５１  水熱用冷媒流量調整弁
５２  水熱用高圧ガス管開閉弁
５３  水熱用低圧ガス管開閉弁
５４  水配管
５５  ポンプ
５６  輻射パネル
５７  水熱交換用リモコン
５８  室温センサ
５９  入湯温度センサ
６０  出湯温度センサ
６１  空調システム
７０  室外用制御部
７１  室内空調用制御部
７２  操作部
７３  表示部
７４  水熱交換用制御部
７５  操作部
７６  表示部
７７  室内空調用リモコン制御部
７８  水熱交換用リモコン制御部
【図１】
2017067319.tif 000003
【図２】
2017067319.tif 000004
【図３】
2017067319.tif 000005
【図４】
2017067319.tif 000006